(57)【要約】【課題】本発明は、筒状ケースの端板を固定するためのリテイニングリングの内径方向の変形を防止し、このリテイニングリングの抜けを防止することである。【解決手段】本発明による回転電器装置のリテイニングリングの抜け止め構造は、筒状ケース(1)内に回転電器(5)を抑える端板(7)の抜けを防止するためのリテイニングリング(11)の内径方向(C)の変形を、前記端板(7)の外側端面突部(110)を前記リテイニングリング(11)のリング内周面(11b)の内側に配設することにより、前記リテイニングリング(11)の変化による抜けを防止する構成である。【選択図】図５
2017028934.tif 000002
【特許請求の範囲】
【請求項１】
筒状ケース(1)内に回転電器(5)を設け、前記回転電器(5)のロータ(3)を貫通した軸(2)を前記筒状ケース(1)の端板(7)の軸受(2A)で軸支し、前記筒状ケース(1)の内壁(6a)に形成され前記端板(7)の外側(9)に位置する止め用凹部(10)にリテイニングリング(11)を係合し、前記回転電器(5)と前記端板(7)間に設けられたウェーブワッシャ(115)の押し戻し力による前記端板(7)の外方への抜けを前記リテイニングリング(11)によって防止するようにした回転電器装置のリテイニングリングの抜け止め構造において、
前記端板(7)の外側端面(110a)に形成された外側端面突部(110)が、前記リテイニングリング(11)の軸方向(A)と直交する径方向(B)から見て前記リテイニングリング(11)と重合し、前記リテイニングリング(11)の内径方向(C)への変形を防止する構成としたことを特徴とする回転電器装置のリテイニングリングの抜け止め構造。
【請求項２】
前記外側端面突部(110)は円板状に形成され、前記外側端面突部(110)の外縁に形成された環状段部(112)は前記リテイニングリング(11)の内端面(11a)に接している構成としたことを特徴とする請求項１記載の回転電器装置のリテイニングリングの抜け止め構造。
【発明の詳細な説明】
【技術分野】
【０００１】
本発明は、回転電器装置のリテイニングリングの抜け止め構造に関し、特に、筒状ケースの止め用凹部に保持されたリテイニングリングの内側に、軸受を有する端板の外側端面突部を挿入させることにより、リテイニングリングの内径方向への変形を防止するための新規な改良に関する。
【背景技術】
【０００２】
従来、用いられていたこの種の回転電器装置のリテイニングリングの抜け止め構造としては、例えば、特許文献１の構成を挙げることができるが、実際には、図６で示す構成が広く採用されている。
すなわち、図６において符号１で示されるものは全体形状が筒状をなす筒状ケースであり、前記筒状ケース１内には、軸２に設けられたロータ３と、前記筒状ケース１の内孔６の内壁６ａに設けられたステータ４とからなる回転電器５が設けられている。
【０００３】
前記筒状ケース１の内孔６の端部６ｂには、軸受２Ａを有する端板７がＯリング８を介して設けられており、前記内孔６の外側９に形成された止め用凹部１０には、一対のリテイニングリング１１が設けられ、ウェーブワッシャ１１５によって不勢される前記端板７と前記リテイニングリング１１とは互いに当接し、前記端板７が軸方向Ａに付勢された時における前記端板７の前記外側９への飛び出しが前記リテイニングリング１１によって防止されるように構成されている。
【先行技術文献】
【特許文献】
【０００４】
【特許文献１】特許第３６７４４０６号公報
【発明の概要】
【発明が解決しようとする課題】
【０００５】
従来の回転電機装置のリテイニングリングの抜け止め構造は、以上のように構成されているため、次のような課題が存在していた。
すなわち、図６の従来構成において、軸２に負荷がかかり、軸方向Ａに沿って端板７が外側９に向けて付勢されると、二重に形成されたリテイニングリング１１に圧力がかかり、セルフロックの機能が発揮されるが、この圧力が所定以上に達した時に、各リテイニングリング１１が内径方向に変形されて前記止め用凹部１０から抜けることがあり、より安全なリテイニングリングの抜け防止が切望されていた。
【０００６】
本発明は、以上のような課題を解決するためになされたもので、特に、筒状ケースの止め用凹部に保持されたリテイニングリングの内側に、軸受を有する端板の外側端面突部を挿入させることにより、リテイニングリングの内径方向への変形を防止するようにした回転電器装置のリテイニングリングの抜け止め構造を提供することを目的とする。
【課題を解決するための手段】
【０００７】
本発明による回転電器装置のリテイニングリングの抜け止め構造は、筒状ケース内に回転電器を設け、前記回転電器のロータを貫通した軸を前記筒状ケースの端板の軸受で軸支し、前記筒状ケースの内壁に形成され前記端板の外側に位置する止め用凹部にリテイニングリングを係合し、前記回転電器と前記端板間に設けられたウェーブワッシャの押し戻し力による前記端板の外方への抜けを前記リテイニングリングによって防止するようにした回転電器装置のリテイニングリングの抜け止め構造において、前記端板の外側端面に形成された外側端面突部が、前記リテイニングリングの軸方向と直交する径方向から見て前記リテイニングリングと重合し、前記リテイニングリングの内径方向への変形を防止する構成であり、また、前記外側端面突部は円板状に形成され、前記外側端面突部の外縁に形成された環状段部は前記リテイニングリングの内端面に接している構成である。
【発明の効果】
【０００８】
本発明による回転電器装置のリテイニングリングの抜け止め構造は、以上のように構成されているため、次のような効果を得ることができる。
すなわち、端板の外側端面に突出して形成された外側端面突部が、リテイニングリングの内側に挿入され、かつ、径方向から見てリテイニングリングと重合しているため、前記端板からの押圧によってリテイニングリングが内径側に変形しようとしても、リテイニングリングのリング内周面が外側端面突部の突部外周面に当接するため、リテイニングリングの変形は防止され、内孔からのリテイニングリングの抜けが防止されると共に、端板の外方への押し出しによる抜けも防止される。
【図面の簡単な説明】
【０００９】
【図１】本発明による回転電器装置のリテイニングリングの抜け止め構造の全体構成を示す断面図である。
【図２】図１のリテイニングリングを装着する前の状態を示す断面図である。
【図３】図２のリテイニングリングを装着開始した状態を示す断面図である。
【図４】図３のリテイニングリングをさらに挿入した状態を示す断面図である。
【図５】図４のリテイニングリングをさらに挿入した装着完了状態を示す断面図である。
【図６】従来構成を示す断面図である。
【発明を実施するための形態】
【００１０】
本発明による回転電器装置のリテイニングリングの抜け止め構造は、筒状ケースの止め用凹部に保持されたリテイニングリングの内側に、軸受を有する端板の外側端面突部を挿入させることにより、リテイニングリングの内径方向への変形を防止することである。
【実施例】
【００１１】
以下、図面と共に本発明による回転電器装置のリテイニングリングの抜け止め構造の好適な実施の形態について説明する。
尚、従来例と同一又は同等部分については、同一符号を付して説明する。
図１において符号１で示されるものは、全体形状が筒状をなすと共に回転電器装置１００の筒状ケースであり、前記筒状ケース１内には、合計４個の軸受２Ａ，２Ｂ，２Ｃ，２Ｄが軸方向Ａに沿って所要位置に配設されている。
【００１２】
前記筒状ケース１内には、接続部１０１で接続された長手の軸２が前記各軸受2Ａ，2Ｂ，2Ｃ及び２Ｄを介して回転自在に設けられている。
前記筒状ケース１の内孔６の内壁６ａには、各回転電器５のステータ４が所要の間隔で配設され、前記軸２上には、前記各ステータ４に対応するように、各ロータ３が配設されている。
【００１３】
前記各ステータ４と各ロータ３とによって構成された各回転電器５は、モータとレゾルバによる冗長系が構成されている。
前記筒状ケース１の一部には、一対のコネクタ部１０２が互いに離間した状態で設けられており、前記各コネクタ部１０２には、前記各回転電器５からのリード線５ａが接続されている。
【００１４】
前記筒状ケース１の後端である端板７の前記軸受２Ａには、前記軸２の後端２ａが軸支されており、前記内孔６内に位置している。
前記端板７に設けられている本発明における特徴であるリテイニングリング１１及び外側端面突部１１０は、図１の要部を拡大して示す図２〜図５に具体的に示されている。
すなわち、図２から図５において、前記端板７は、前記内孔６の端部６ｂにて、Ｏリング８を介して設けられており、前記内孔６の外側９に形成された止め用凹部１０には、前記リテイニングリング１１が軸方向Ａに沿って厚さＴを有した状態で配設されている。
【００１５】
尚、前記回転電器５と前記端板７の内面７ａとの間には、ウェーブワッシャ１１５が設けられ、前記ウェーブワッシャ１１５の押し戻し力によって、前記端板７は前記外側９に向けて押圧されている。
前記止め用凹部１０内に設けられた前記リテイニングリング１１の隣接位置には、前記端板７の外側端面１１０ａに設けられた外側端面突部１１０が位置している。
前記端板７の外側端面突部１１０は、図４及び図５に示されるように、前記リテイニングリング１１の内側に挿入・位置しており、前記外側端面突部１１０は、前記リテイニングリング１１の軸方向Ａと直交する径方向Ｂから見て前記リテイニングリング１１と重合している。
【００１６】
次に、前記筒状ケース１の前記止め用凹部１０内に前記リテイニングリング１１を嵌め込んで装着する場合について、図２から図５と共に説明する。
まず、図２において、Ｏリング８によって前記内孔６の内壁６ａに予め挿入された端板７に対して前記リテイニングリング１１を押し込むのに外側端面突部１１０が妨げとならないようにし、前記リテイニングリング１１を矢印Ｅ方向に沿って前記内孔６の前記止め用凹部１０に向けて挿入させる。
【００１７】
次に、図３に示されるように、前記リテイニングリング１１を圧縮させた状態で前記内孔６の前記止め用凹部１０の手前位置迄挿入する。
前述の状態で、さらに、前記リテイニングリング１１を前進させて挿入すると、図４で示すように、前記リテイニングリング１１が前記止め用凹部１０内に保持されるが、前記端板７の前記外側端面突部１１０の外縁に形成されている環状段部１１２には、厚さＴを有する前記リテイニングリング１１の内端面１１ａが未接触の状態となっている。
【００１８】
次に、前述の図４の状態において、前記リテイニングリング１１を前記止め用凹部１０内に保持した状態としておくと、前記ウェーブワッシャ１１５の押し戻し力によって、前記端板７が矢印Ｆの方向に戻され、図４から図５で示す状態となり、前記環状段部１１２が前記リテイニングリング１１の内端面１１ａに当接した状態となる。従って、リテイニングリング１１が設けられていない状態では、端板７が外側９へ押し戻されることになる。
【００１９】
図５のように、前記端板７の前記環状段部１１２が前記リテイニングリング１１の前端面１１ａに当接した状態となると、前記端板７の前記外側端面突部１１０が、前記リテイニングリング１１のリング内周面１１ｂ内に入り込み、前記外側端面突部１１０が、前記リテイニングリング１１の軸方向Ａと直交する径方向Ｂから見て前記リテイニングリング１１と重合しているため、前記リテイニングリング１１が端板７によって外側９に押された場合でも、前記リテイニングリング１１がその内径方向Ｃ側に変形しようとするが、前記外側端面突部１１０の突部外周面１１０ｂに前記リテイニングリング１１のリング内周面１１ｂが当接しているため、前記リテイニングリング１１の前記内径方向Ｃ側への変形は強制的に止められる。
【００２０】
従って、前記リテイニングリング１１の従来のような内径側への変形は完全に抑えられ、前記端板７の安定的保持及び信頼性の向上を得ることができる。
【００２１】
尚、本発明による回転電器装置のリテイニングリングの抜け止め構造の要旨とするところは、以下の通りである。
すなわち、筒状ケース１内に回転電器５を設け、前記回転電器５のロータ３を貫通した軸２を前記筒状ケース１の端板７の軸受2Ａで軸支し、前記筒状ケース１の内壁６ａに形成され前記端板７の外側９に位置する止め用凹部１０にリテイニングリング１１を係合し、前記回転電器５と前記端板７間に設けられたウェーブワッシャ１１５の押し戻し力による前記端板７の外方への抜けを前記リテイニングリング１１によって防止するようにした回転電器装置のリテイニングリングの抜け止め構造において、前記端板７の外側端面１１０ａに形成された外側端面突部１１０が、前記リテイニングリング１１の軸方向Ａと直交する径方向Ｂから見て前記リテイニングリング１１と重合し、前記リテイニングリング１１の内径方向Ｃへの変形を防止する構成であり、また、前記外側端面突部１１０は円板状に形成され、前記外側端面突部１１０の外縁に形成された環状段部１１２は前記リテイニングリング１１の内端面１１ａに接している構成である。
【産業上の利用可能性】
【００２２】
本発明による回転電器装置のリテイニングリングの抜け止め構造は、回転電器と端板との間に設けられたウェーブワッシャにより端板を外側へ付勢し、端板７に設けられた外側端面突部をリテイニングリングの内側に位置させることにより、リテイニングリングの内径方向の変形を防止し、前記端板及びリテイニングリングの外方への抜けを防止できるため、装置の安全性及び信頼性の向上を得ることができる。
【符号の説明】
【００２３】
１    筒状ケース
２    軸
２Ａ〜２Ｄ    軸受
２ａ    後端
Ａ    軸方向
Ｂ    径方向
Ｃ    内径方向
Ｔ    厚さ
３    ロータ
４    ステータ
５    回転電器
５ａ    リード線
６    内孔
６ａ    内壁
６ｂ    端部
７    端板
７ａ    内面
８    Ｏリング
９    外側
１０    止め用凹部
１１    リテイニングリング
１１ａ    内端面
１１ｂ    リング内周面
１００    回転電器装置
１０２    コネクタ部
１１０    外側端面突部
１１０ａ    外側端面
１１０ｂ    突部外周面
１１２    環状段部
１１５    ウェーブワッシャ
【図１】
2017028934.tif 000003
【図２】
2017028934.tif 000004
【図３】
2017028934.tif 000005
【図４】
2017028934.tif 000006
【図５】
2017028934.tif 000007
【図６】
2017028934.tif 000008